(57)【要約】【課題】組み立てが容易であるとともに、箱状本体の各角部の隙間をなくすことができる折箱を提供する。【解決手段】四角形状の底板部２５に折曲部２１，２２，２３，２４を介して連接された端板部３０，３５及び側板部４０，４５を立設して箱状本体２０を組み立てるようにした折箱１０であって、各端板部３０，３５と各側板部４０，４５とを連接する各角部１１，１２，１３，１４に、各端板部３０，３５と各側板部４０，４５を立設した際に隣接する端板部３０，３５と側板部４０，４５とを一体に接続し、かつ端板部３０，３５に折り重ねられる薄膜部５０が形成されているとともに、各端板部３０，３５の外辺部３１，３６には、折曲部６１，６６を介して該端板部３０，３５に折重ね可能でかつ折り重ね時には該端板部３０，３５に折り重ねられた薄膜部５０を上面から重合して箱状本体２０を組み立てる折重片６０，６５が形成されている。【選択図】図２
2010280432.tif 000002
【特許請求の範囲】
【請求項１】
それぞれ平行な縦辺部（ａ，ｂ）及び横辺部（ｃ、ｄ）からなる四角形状の底板部と、前記底板部の各縦辺部に折曲部を介して連設された端板部と、前記底板部の各横辺部に折曲部を介して連設された側板部とを有し、前記各端板部及び各側板部をそれぞれの折曲部を介して立設して箱状本体を組み立てるようにした折箱であって、
前記各端板部と前記各側板部とを連接する各角部に、前記各端板部と前記各側板部を立設した際に隣接する端板部と側板部とを一体に接続し、かつ前記端板部に折り重ねられる薄膜部が形成されているとともに、
前記各端板部の外辺部には、折曲部を介して該端板部に折重ね可能でかつ折り重ね時には該端板部に折り重ねられた前記薄膜部を上面から重合して箱状本体を組み立てる折重片が形成されていることを特徴とする折箱。
【請求項２】
前記薄膜部が端板部内面に折重ねられる請求項１に記載の折箱。
【請求項３】
前記折重片が前記折曲部を介して該端板部内面に折重ね可能でかつ折り重ね時には該端板部両側の側板部内面に嵌着して該端板部内面に折り重ねられた前記薄膜部を上面から押圧して箱状本体を組み立てるように形成されている請求項２に記載の折箱。
【請求項４】
前記端板部及び折重片に前記薄膜部を収容する薄肉部が形成されている請求項３に記載の折箱。
【請求項５】
前記底板部上面の縦辺部近傍に前記折曲部を介して前記端板部内面に折重ねられた前記折重片を係止するための係止部が形成されている請求項３又は４に記載の折箱。
【請求項６】
前記薄膜部の外面が前記端板部及び側板部の外面と面一に形成されている請求項２ないし５のいずれか１項に記載の折箱。
【請求項７】
前記薄膜部の厚みが０．１〜１．５ｍｍである請求項１ないし６のいずれか１項に記載の折箱。
【請求項８】
前記各側板部の少なくとも一方に蓋折曲部を介して蓋板部が一体に形成されている請求項１ないし７のいずれか１項に記載の折箱。
【請求項９】
前記各板部及び折重片が合成樹脂発泡体からなる請求項１ないし８のいずれか１項に記載の折箱。
【請求項１０】
前記合成樹脂発泡体からなる各板部及び折重片の片面または両面にラミネートシートが貼着されている請求項９に記載の折箱。
【発明の詳細な説明】
【技術分野】
【０００１】
本発明は、四角形状の底板部に連接された端板部及び側板部を立設して組み立てられる折箱に関する。
【背景技術】
【０００２】
各種の物品を収納するための箱状の容器として、例えば、四角形状の底板部の各辺部にＶ溝等の折曲部を介して一体に連接された端板部及び側板部を有し、各端板部及び各側板部を折曲げ部を介して立設して箱状本体を組み立ててなる折箱が知られている（例えば、特許文献１参照。）。
【０００３】
この折箱では、物品の未収納時に保管等する際には、各板部を展開することによって一枚の板状体とすることができ省スペース化を図ることができ、しかも、展開した状態から各板部を立設させることで容易に組み立てることが可能である。また、各板部を合成樹脂発泡体等の素材とすることによって、軽量で保護性や保温性を備えた折箱を容易に成形することができる。
【０００４】
このような折箱は、低温での保存が必要な魚等の生ものや冷凍食品等の物品の運搬等に用いられることが一般的である。その際、前記物品とともに氷等の保冷剤が適宜収納される。しかしながら、上記従来の折箱にあっては、各端板部及び各側板部をそれぞれ立設して組み立てる構成であるから、箱状本体の各角部を完全に密着させることが困難であり、わずかな隙間が生じる。そして、前記物品を長期間収納すると折箱内で結露や氷が溶け出す等して水が発生することが避けられないことから、前記各角部の隙間から液漏れするおそれがあった。また、前記隙間によって外気が内部に侵入する等して折箱の保温効果が低下するという問題があった。
【先行技術文献】
【特許文献】
【０００５】
【特許文献１】実開平６−４７１２６号公報
【発明の概要】
【発明が解決しようとする課題】
【０００６】
本発明は前記の点に鑑みなされたものであり、組み立てが容易であるとともに、箱状本体の各角部の隙間をなくすことができる折箱を提供するものである。
【課題を解決するための手段】
【０００７】
すなわち、請求項１の発明は、それぞれ平行な縦辺部（ａ，ｂ）及び横辺部（ｃ、ｄ）からなる四角形状の底板部と、前記底板部の各縦辺部に折曲部を介して連設された端板部と、前記底板部の各横辺部に折曲部を介して連設された側板部とを有し、前記各端板部及び各側板部をそれぞれの折曲部を介して立設して箱状本体を組み立てるようにした折箱であって、前記各端板部と前記各側板部とを連接する各角部に、前記各端板部と前記各側板部を立設した際に隣接する端板部と側板部とを一体に接続し、かつ前記端板部に折り重ねられる薄膜部が形成されているとともに、前記各端板部の外辺部には、折曲部を介して該端板部に折重ね可能でかつ折り重ね時には該端板部に折り重ねられた前記薄膜部を上面から重合して箱状本体を組み立てる折重片が形成されていることを特徴とする折箱に係る。
【０００８】
請求項２の発明は、前記薄膜部が端板部内面に折重ねられる請求項１に記載の折箱に係る。
【０００９】
請求項３の発明は、前記折重片が前記折曲部を介して該端板部内面に折重ね可能でかつ折り重ね時には該端板部両側の側板部内面に嵌着して該端板部内面に折り重ねられた前記薄膜部を上面から押圧して箱状本体を組み立てるように形成されている請求項２に記載の折箱に係る。
【００１０】
請求項４の発明は、前記端板部及び折重片に前記薄膜部を収容する薄肉部が形成されている請求項３に記載の折箱に係る。
【００１１】
請求項５の発明は、前記底板部上面の縦辺部近傍に前記折曲部を介して前記端板部内面に折重ねられた前記折重片を係止するための係止部が形成されている請求項３又は４に記載の折箱に係る。
【００１２】
請求項６の発明は、前記薄膜部の外面が前記端板部及び側板部の外面と面一に形成されている請求項２ないし５のいずれか１項に記載の折箱に係る。
【００１３】
請求項７の発明は、前記薄膜部の厚みが０．１〜１．５ｍｍである請求項１ないし６のいずれか１項に記載の折箱に係る。
【００１４】
請求項８の発明は、前記各側板部の少なくとも一方に蓋折曲部を介して蓋板部が一体に形成されている請求項１ないし７のいずれか１項に記載の折箱に係る。
【００１５】
請求項９の発明は、前記各板部及び折重片が合成樹脂発泡体からなる請求項１ないし８のいずれか１項に記載の折箱に係る。
【００１６】
請求項１０の発明は、前記合成樹脂発泡体からなる各板部及び折重片の片面または両面にラミネートシートが貼着されている請求項９に記載の折箱に係る。
【発明の効果】
【００１７】
請求項１の発明に係る折箱は、それぞれ平行な縦辺部（ａ，ｂ）及び横辺部（ｃ、ｄ）からなる四角形状の底板部と、前記底板部の各縦辺部に折曲部を介して連設された端板部と、前記底板部の各横辺部に折曲部を介して連設された側板部とを有し、前記各端板部及び各側板部をそれぞれの折曲部を介して立設して箱状本体を組み立てるようにした折箱であって、前記各端板部と前記各側板部とを連接する各角部に、前記各端板部と前記各側板部を立設した際に隣接する端板部と側板部とを一体に接続し、かつ前記端板部に折り重ねられる薄膜部が形成されているとともに、前記各端板部の外辺部には、折曲部を介して該端板部に折重ね可能でかつ折り重ね時には該端板部に折り重ねられた前記薄膜部を上面から重合して箱状本体を組み立てる折重片が形成されているため、極めて簡易な構成によって箱状本体の各角部の隙間をふさぐことができ、しかも、箱状本体の組み立てが容易である。
【００１８】
請求項２の発明は、請求項１において、前記薄膜部が端板部内面に折重ねられるため、薄膜部が外部に露出しなくなり、外観上有利である。
【００１９】
請求項３の発明は、請求項２において、前記折重片が前記折曲部を介して該端板部内面に折重ね可能でかつ折り重ね時には該端板部両側の側板部内面に嵌着して該端板部内面に折り重ねられた前記薄膜部を上面から押圧して箱状本体を組み立てるように形成されているため、別途固定部材を用いることなく薄膜部を上面から重合して箱状本体の組立てを行うことができる。
【００２０】
請求項４の発明は、請求項３において、前記端板部及び折重片に前記薄膜部を収容する薄肉部が形成されているため、より確実に端板部両側の側板部内面に嵌着させることができる。
【００２１】
請求項５の発明は、請求項３又は４において、前記底板部上面の縦辺部近傍に前記折曲部を介して前記端板部内面に折重ねられた前記折重片を係止するための係止部が形成されているため、端板部内面に折重ねられた折重片を容易かつ確実に固定することができる。
【００２２】
請求項６の発明は、請求項２ないし５において、前記薄膜部の外面が前記端板部及び側板部の外面と面一に形成されているため、薄膜部が成形し易くなるとともに、保管等の際に重ね易くなる。
【００２３】
請求項７の発明は、請求項１ないし６において、前記薄膜部の厚みが０．１〜１．５ｍｍであるため、折り重ねやすくしかも十分な強度も確保することができる。
【００２４】
請求項８の発明は、請求項１ないし７において、前記各側板部の少なくとも一方に蓋折曲部を介して蓋板部が一体に形成されているため、極めて簡易な構成で箱状本体の上部開口部の開閉を行うことができる。
【００２５】
請求項９の発明は、請求項１ないし８において、前記各板部及び折重片が合成樹脂発泡体からなるため、軽量で保護性や保温性に優れた折箱を提供することができる。
【００２６】
請求項１０の発明は、請求項９において、前記合成樹脂発泡体からなる各板部及び折重片の片面または両面にラミネートシートが貼着されているため、当該折箱の外面に容易に装飾性を持たせることができるとともに、各折曲部を補強することができる。
【図面の簡単な説明】
【００２７】
【図１】本発明の第一実施例に係る折箱の斜視図である。
【図２】図１の折箱の展開図である。
【図３】図２のＡ−Ａ断面図である。
【図４】図２のＢ−Ｂ断面図である。
【図５】端板部の折り曲げ例を模式的に表した断面図である。
【図６】折重片の折り曲げ例を模式的に表した断面図である。
【図７】底板部に形成された係止部の断面図である。
【図８】双方の側板部に蓋板部が形成された折箱の斜視図である。
【図９】第一実施例の折箱の角部の組み立て例を模式的に表した断面図である。
【図１０】第二実施例の折箱の角部の組み立て例を模式的に表した断面図である。
【図１１】第三実施例の折箱の角部の組み立て例を模式的に表した断面図である。
【図１２】第四実施例の折箱の角部の組み立て例を模式的に表した断面図である。
【発明を実施するための形態】
【００２８】
図１〜図４に示すように、本発明の折箱１０は、それぞれ平行な縦辺部ａ，ｂ及び横辺部ｃ、ｄからなる四角形状の底板部２５と、前記底板部２５の各縦辺部ａ，ｂに折曲部２１，２２を介して連設された端板部３０，３５と、前記底板部２５の各横辺部ｃ，ｄに折曲部２３，２４を介して連設された側板部４０，４５とを有し、前記各端板部３０，３５及び各側板部４０，４５をそれぞれの折曲部２１，２２，２３，２４を介して立設して箱状本体２０を組み立てるようにしてなる。この折箱１０において、各折曲部２１，２２，２３，２４は、Ｖ溝や凹状溝等適宜の形状で形成することができる。実施例では、各折曲部２１，２２，２３，２４は、図２，３，５に示すようにＶ溝である。
【００２９】
この折箱１０では、各板部２５，３０，３５，４０，４５の厚みが、収納する物品の種類や大きさ、用途等に応じて適宜に設定される。特に、利便性や強度、保温性等の観点から、底板部２５，側板部４０，４５の厚みは３〜１０ｍｍとされる。厚みが３ｍｍより薄い場合、十分な強度や保温効果を得ることができず、厚みが１０ｍｍより厚い場合、必要以上にかさばったり組み立てにくくなる等の利便性の低下のおそれがある。また、端板部３０，３５の厚みは、後述するように側板部４０，４５の略半分とされる。実施例の底板部２５及び側板部４０，４５の厚みは３ｍｍである。
【００３０】
この折箱１０は、各端板部３０，３５と各側板部４０，４５とを連接する各角部１１，１２，１３，１４に薄膜部５０，５０，５０，５０が形成されているとともに、各端板部３０，３５の外辺部３１，３６に折重片６０，６５が形成されていることを特徴とする。
【００３１】
薄膜部５０は、図２に示すように、各端板部３０，３５と各側板部４０，４５とを連接する各角部１１，１２，１３，１４に形成され、各端板部３０，３５と各側板部４０，４５を立設した際に隣接する端板部３０，３５と側板部４０，４５とを一体に接続し、かつ端板部３０，３５に折り重ねられるように構成される。
【００３２】
この薄膜部５０にあっては、各端板部３０，３５と各側板部４０，４５を立設した際に隣接する端板部３０，３５と側板部４０，４５とを一体に接続するものであるから、隣接する端板部３０，３５と側板部４０，４５との隙間をふさいで、箱状本体２０として組み立てた際の各角部１１，１２，１３，１４の隙間からの水漏れ等を効果的に防ぐことが可能となる。また、この薄膜部５０は、上記水漏れ等の防止が可能であれば、各角部１１，１２，１３，１４に形成する位置や形状等は特に限定されない。特に、薄膜部５０の外面を端板部３０，３５及び側板部４０，４５の外面３０Ｂ，３５Ｂ，４０Ｂ，４５Ｂと面一に形成すれば、薄膜部５０が成形し易くなる他、箱状本体２０を展開した状態で積み重ねて保管する等の際に重ね易くなる等、好都合である。
【００３３】
さらに、この薄膜部５０には、図２の展開図に示すように、底板部２５の角部１１，１２，１３，１４側から斜め方向に易折部５１を形成することが好ましい。易折部５１は、折り曲げ方向の面に適宜の切り込みや溝等からなり、薄膜部５０の特定位置での折り重ねが容易となって、作業性の向上や折り重ね時のズレ等を防止することができる。
【００３４】
薄膜部５０の折り重ね方向としては、端板部３０，３５の内面３０Ａ，３５Ａ側または外面側３０Ｂ，３５Ｂのいずれでも可能である。特には、薄膜部５０を端板部３０，３５の内面３０Ａ，３５Ａに折り重ねることにより、箱状本体２０を組み立てた際に薄膜部５０が外部に露出しなくなり、外観上好ましい。
【００３５】
また、この薄膜部５０では、折り重ね易さや強度等の関係から、厚みが０．１〜１．５ｍｍとされる。薄膜部５０の厚みが０．１ｍｍより薄い場合、十分な強度を得ることが困難であり、破損し易いという問題がある。厚みが１．５ｍｍより厚い場合、折り重ね時の薄膜部５０が膜厚になり過ぎて、後述する折重片６０，６５による重合に支障が出るという問題がある。実施例の薄膜部５０の厚みは、０．３ｍｍである。
【００３６】
折重片６０，６５は、各端板部３０，３５の外辺部３１，３６に形成され、折曲部６１，６６を介して該端板部３０，３５に折重ね可能でかつ折り重ね時には該端板部３０，３５に折り重ねられた薄膜部５０，５０，５０，５０を上面から重合して箱状本体２０を組み立てるように構成される。すなわち、折り重ねられた薄膜部５０，５０，５０，５０を折重片６０，６５によって上面から重合することにより、薄膜部５０，５０，５０，５０と一体に接続された各端板部３０，３５及び各側板部４０，４５を、別途固定するための部材等を用いることなく立設状態で保持することが可能となる。なお、実施例において、折曲部６１，６６は、図２，３，６に示すように、凹状溝である。
【００３７】
この折重片６０，６５は、箱状本体２０の組み立て時に端板部３０，３５に折り重ねられるものであることから、端板部３０，３５と折重片６０，６５との折り重ね状態での厚みを側板部４０，４５の厚みと略同一とすることが外見上好ましい。特に好ましくは、端板部３０，３５と折重片６０，６５の厚みは、それぞれ側板部４０，４５の厚みの略半分である。実施例では、側板部４０，４５の厚みが３ｍｍであるのに対し、端板部３０，３５と折重片６０，６５の厚みはそれぞれ１．５ｍｍである。これにより、箱状本体２０の側面の厚みに統一感を持たせることができる。
【００３８】
折重片６０，６５の折り重ね方向は、薄膜部５０の折り重ね方向に対応して、折曲部６１，６６を介して端板部３０，３５の内面３０Ａ，３５Ａ側あるいは外面３０Ｂ，３５Ｂ側に折り重ね可能とされる。特に、薄膜部５０が端板部３０，３５の内面３０Ａ，３５Ａに折り重ねられる際には、端板部３０，３５両側の側板部４０，４５内面４０Ａ，４５Ａに嵌着して該端板部３０，３５内面３０Ａ，３５Ａに折り重ねられた薄膜部５０を上面から押圧して箱状本体２０を組み立てるように構成される。これにより、別途固定部材を用いることなく薄膜部５０を上面から重合して箱状本体２０の組立てを行うことができる。
【００３９】
さらに、端板部３０，３５及び折重片６０，６５には、薄膜部５０を収納するための薄肉部３２，３７，６２，６７が形成されていることが好ましい。この薄肉部３２，３７，６２，６７は、端板部３０，３５または折重片６０，６５との厚みの差によって折り重ね時に空間部分を形成するものである。この空間部分に折り重ねられた薄膜部５０が収納されることにより、薄膜部５０の厚みの影響を受けることなく折重片６０，６５を折り重ねることが可能となり、より確実に端板部３０，３５両側の側板部４０，４５内面４０Ａ，４５Ａに嵌着させることができる。
【００４０】
薄肉部３２，３７，６２，６７の形状としては、折り重ねられた薄膜部５０が収納可能であれば特に限定されない。また、薄肉部３２，３７，６２，６７の厚みは、折り重ねられた薄膜部５０が収納可能でかつ端板部３０，３５の厚みより薄く薄膜部５０の厚みより厚く形成され、例えば、０．６ｍｍ〜１．３ｍｍとされる。薄肉部３２，３７，６２，６７の厚みが１．３ｍｍより厚い場合、薄膜部５０を収納するための十分な空間を確保することが困難であり、０．６ｍｍより薄い場合、強度面で問題がある。実施例の薄肉部３２，３７は、図２に示すように、薄膜部５０に隣接して形成された略三角形状で、それぞれ厚みが１ｍｍとされる。薄肉部６２，６７は、それぞれ厚みが１ｍｍで、折曲部６１，６６を介して薄肉部３２，３７と対称形状に形成される。
【００４１】
当該折箱１０においては、図１，２，７に示すように、底板部２５上面の縦辺部ａ，ｂ近傍に折曲部２１，２２を介して端板部３０，３５内面３０Ａ，３５Ａに折重ねられた折重片６０，６５を係止するための係止部２６を形成することが好ましい。この係止部２６としては、図１，２に示すように底板部２５の縦辺部ａ（ｂ）方向に所定長さで形成された突出部であって、図７に示すように、底板部２５の縦辺部ａ（ｂ）側が底板部２５上面に対して略垂直な面とされ、その反対側がテーパ面とされる。この係止部２６により、端板部３０（３５）内面３０Ａ（３５Ａ）に折重ねられた折重片６０（６５）を容易かつ確実に固定することができる。また、係止部２６が縦辺部ａ（ｂ）の反対側にテーパ面を有することにより、折重片６０（６５）を折り返した際にも円滑に端板部３０（３５）内面３０Ａ（３５Ａ）への折り重ねることができる。特に、テーパ面を円弧状に形成すれば、より円滑な折り重ねが可能となる。
【００４２】
また、この係止部２６の長さや高さ、幅等は、折箱１０の大きさに応じて適宜に設定されるが、長さを２０〜５０ｍｍ、高さを２〜４ｍｍ、幅を５〜１０ｍｍとすることが好ましい。長さが２０ｍｍより短い場合、折重片６０，６５を十分に係止することが困難であり、５０ｍｍより長い場合、必要以上に係止部２６が大きくなって物品の収納の妨げとなるおそれがある。高さが２ｍｍより低い場合、折重片６０，６５を十分に係止することが困難であり、４ｍｍより高い場合、折り返した折重片６０，６５が引っ掛かりやすくなって円滑な折り重ねが困難となる。幅が５ｍｍより小さい場合、テーパ面の傾斜が大きくなって円滑な折り重ねが困難となり、１０ｍｍより大きい場合、必要以上に係止部２６が大きくなって物品の収納の妨げとなるおそれがある。
【００４３】
この折箱１０では、必要に応じて箱状本体２０の上部開口部２０Ａに蓋板部７０を設け、開閉可能な構成とすることができる。この蓋板部７０は、各側板部４０，４５の少なくとも一方に蓋折曲部７５を介して一体に形成されていることが好ましい。この蓋板部７０としては、例えば、図１に示すように、一方の側板部４０（４５）に単一の蓋板部７１を形成して片開き状に構成することができる。また、図８に示すように双方の側板部４０，４５にそれぞれ蓋板部７２，７３を形成し、観音開き状に構成することもできる。なお、双方の側板部４０，４５に蓋板部７２，７３を形成する場合、各蓋板部７２，７３の端部に互いに係合可能な延出部を形成すれば、蓋板部７２，７３の開閉部分の大きな隙間が形成されることがない。なお、実施例の蓋折曲部７５は、折曲部２１，２２，２３，２４と同様にＶ溝である。
【００４４】
また、この折箱１０において、各板部２５，３０，３５，４０，４５，７０及び折重片６０，６５を構成する素材としては、軽量で保形性を備えた合成樹脂発泡体、段ボール、積層紙等の適宜の材料を使用することができる。特には、保護性や保温性等の観点から、各板部２５，３０，３５，４０，４５，７０及び折重片６０，６５を合成樹脂発泡体で構成することが好ましい。用いる合成樹脂としては、ポリスチレン、ポリプロピレン、ポリエチレン、ポリ塩化ビニル等であり、これらの発泡成形品からなる。なお、各板部２５，３０，３５，４０，４５，７０及び折重片６０，６５を合成樹脂発泡体とした場合では、各折曲部２１，２２，２３，２４，７５，６１，６６や薄膜部５０、薄肉部３２，３７，６２，６７等を公知の加熱圧縮等を用いることによって容易に形成することができる。
【００４５】
さらに、この折箱１０では、合成樹脂発泡体からなる各板部２５，３０，３５，４０，４５，７０及び折重片６０，６５の片面または両面にラミネートシートを貼着してもよい。ラミネートシートとしては、ポリエチレン、ポリスチレン、ポリプロピレン等の公知の合成樹脂フィルムが好適に用いられる。このラミネートシートによれば、適宜の文字や模様、絵柄等を印刷することによって折箱１０外面に容易に装飾性を持たせることが可能となる。また、各折曲部２１，２２，２３，２４，７５，６１，６６を補強することができる。なお、この折箱１０では、このラミネートシートによって薄膜部５０が形成されるように各板部２５，３０，３５，４０，４５，７０及び折重片６０，６５に貼着することも可能である。
【００４６】
次に、第一実施例の折箱１０Ａの組み立て方について説明する。この折箱１０Ａでは、まず、図５に示すように、端板部３０，３５がそれぞれの折曲部２１，２２を介して略９０°折り曲げられて立設される。なお、図示しないが、側板部４０，４５についても、端板部３０，３５と同様にそれぞれの折曲部２３，２４を介して略９０°折り曲げられて立設される。
【００４７】
また、上記の如く各端板部３０，３５及び各側板部４０，４５を立設するに際し、各角部１１，１２，１３，１４に形成された薄膜部５０，５０，５０，５０が、図９（ａ）に示すように、易折部５１を介して端板部３０（３５）内面３０Ａ（３５Ａ）側に折り重ねられる。
【００４８】
次いで、図６に示すように、折曲部６１（６６）を介して折重片６０（６５）が端板部３０（３５）の内面３０Ａ（３５Ａ）側に折り返されて、図９（ｂ）に示すように、折り重ね状態の薄膜部５０を上面から押圧し、図７及び図９（ｃ）に示すように、端板部３０（３５）に折り重ねられて重合される。
【００４９】
この時、薄膜部５０が端板部３０（３５）の薄肉部３２（３７）と折重片６０（６５）の薄肉部６２（６７）との間に収納されるとともに、折重片６０（６５）が端板部３０（３５）の内面３０Ａ（３５Ａ）に折り重ねられた状態で端板部３０，３５両側の側板部４０，４５内面４０Ａ，４５Ａに嵌着され、かつ、折重片６０（６５）の端部が係止部２６に係止されて箱状本体２０の組み立てが完了する。
【００５０】
図１０〜図１２は、薄膜部５０を端板部３０，３５に折り重ねて折重片６０，６５によって重合して箱状本体２０を組み立てる様々なバリエーションを表したものである。図１０に示す第二実施例は、薄膜部５０を端板部３０（３５）の内面３０Ａ（３５Ａ）及び側板部４０（４５）の内面４０Ａ（４５Ａ）と面一に形成して端板部３０（３５）の内面３０Ａ（３５Ａ）に折り重ねた例である。この第二実施例では、第一実施例と同様の手順で箱状本体２０が組み立てられる。
【００５１】
図１１に示す第三実施例は、薄膜部５０を端板部３０（３５）の外面３０Ｂ（３５Ｂ）及び側板部４０（４５）の外面４０Ｂ（４５Ｂ）と面一に形成して端板部３０（３５）の外面３０Ｂ（３５Ｂ）に折り重ねた例である。この第三実施例では、まず、薄膜部５０が、図１０（ａ）に示すように、易折部５１を介して端板部３０（３５）外面３０Ｂ（３５Ｂ）側に折り重ねられる。次いで、図１１（ｂ）に示すように、折重片６０（６５）によって上面から押圧され、図１１（ｃ）に示すように、端板部３０（３５）に重合されて、箱状本体２０の組み立てが完了する。なお、折重片６０，６５は、公知の粘着テープ等によって端板部３０，３５に固定される。
【００５２】
図１２に示す第四実施例は、薄膜部５０を端板部３０（３５）の内面３０Ａ（３５Ａ）及び側板部４０（４５）の内面４０Ａ（４５Ａ）と面一に形成して端板部３０（３５）の外面３０Ｂ（３５Ｂ）に折り重ねた例である。この第四実施例では、第三実施例と同様の手順で箱状本体２０が組み立てられる。
【００５３】
以上、図示し説明したように、本発明の折箱１０では、各端板部３０，３５と各側板部４０，４５を立設した際に隣接する端板部３０，３５と側板部４０，４５とを一体に接続する薄膜部５０を有することにより、極めて簡易な構成で隣接する端板部３０，３５と側板部４０，４５との隙間をふさぐことができる。あわせて、薄膜部５０を端板部３０，３５に折り重ねるとともに、折重片６０，６５が薄膜部５０を上面から重合して端板部３０，３５に折り重ねられるものであるから、極めて簡易な手順で箱状本体２０を組み立てることができる。
【００５４】
また、特に、各板部２５，３０，３５，４０，４５，７０及び折重片６０，６５を合成樹脂発泡体で構成すれば、軽量で保護性や保温性に優れた折箱を提供することができる。これにより、低温での保存が必要な魚等の生ものや冷凍食品等の物品を運搬する際であっても、箱状本体２０の各角部１１，１２，１３，１４の隙間からの水漏れ等や外気の侵入等による保温効果の低下等を効果的に防ぐことができる。さらに、弁当や寿司、ケーキ等の食品類を店頭で詰め込んで販売する場合等に好適に用いることができる。
【００５５】
なお、本発明の折箱は、前述の実施例のみに限定されるものではなく、発明の趣旨を逸脱しない範囲において構成の一部を適宜に変更して実施することができる。
【００５６】
１０    折箱
１１，１２，１３，１４    角部
２０    箱状本体
２１，２２，２３，２４    折曲部
２５    底板部
３０，３５    端板部
４０，４５    側板部
５０    薄膜部
６０，６５    折重片
７０    蓋板部
ａ，ｂ    縦辺部
ｃ，ｄ    横辺部
【図１】
2010280432.tif 000003
【図２】
2010280432.tif 000004
【図３】
2010280432.tif 000005
【図４】
2010280432.tif 000006
【図５】
2010280432.tif 000007
【図６】
2010280432.tif 000008
【図７】
2010280432.tif 000009
【図８】
2010280432.tif 000010
【図９】
2010280432.tif 000011
【図１０】
2010280432.tif 000012
【図１１】
2010280432.tif 000013
【図１２】
2010280432.tif 000014